(57)【要約】【課題】使い易くまた上り九九等を効率的に学習（練習）することができる九九カードを提供する。【解決手段】本考案の九九カード１は、１から９までの各段に対応した９枚のカード１１を有し、少なくとも、前記各カード１１の表（おもて）面及び裏面にはそれぞれ、掛けられる数が１つ、１から９の掛ける数が９つ、それに対応した９つの計算式及びその読み方が記載され、さらに前記各カード１１の裏面には前記計算式の答えが記載されている。九九カード１は、掛ける数が１から９に向かって１つずつ増える上り九九、逆に掛ける数が９から１に向かって１つずつ減る下り九九、掛ける数が不規則に並べられたバラバラ九九の学習（練習）に好適である。【選択図】図１
0003227598.tif 000002
【実用新案登録請求の範囲】
【請求項１】
１から９までの各段に対応した９枚のカードを有し、
少なくとも、前記各カードの表（おもて）面及び裏面にはそれぞれ、掛けられる数が１つ、１から９の掛ける数が９つ、それに対応した９つの計算式及びその読み方が記載され、
さらに前記各カードの裏面には前記計算式の答えが記載されていることを特徴とする九九カード。
【請求項２】
前記各カードの表（おもて）面及び裏面に記載された１から９の掛ける数が、
１から９に向かって１つずつ増えるように並んでいる、又は９から１に向かって１つずつ減るように並んでいる、又は不規則に並んでいることを特徴とする請求項１に記載の九九カード。
【請求項３】
前記９枚のカードが綴じ具で綴じられていることを特徴とする請求項１又は請求項２に記載の九九カード。
【請求項４】
前記９枚のカードには、１から９の段を表示するインデックスが設けられ、及び／又は１から９の段毎に異なる色が付されていることを特徴とする請求項１から３のいずれか１項に記載の九九カード。
【考案の詳細な説明】
【技術分野】
【０００１】
本考案は、掛け算の学習に使用される学習具である九九カードに関する。
【背景技術】
【０００２】
掛け算の学習に使用する学習具として九九カードがある。従来の代表的な九九カードとして単語帳（単語カード）形式のものが知られている。この九九カードは、複数のカードの表（おもて）面に計算式、裏面に計算式の読み及び答えが記載され、捲れるようにリングで綴じられている。単語帳形式の九九カードを使い易くするためにカードにインデックスを設けたものもある（例えば特許文献１参照）。
【０００３】
またトランプと同様の方法で遊びながら学習できる九九カードとして、３６枚のカードに九九の答えとなる数をそれぞれ表記し、この３６枚を一組として裏面の異なるもう１組とあわせて使用する計７２枚からなる九九カードがある（例えば特許文献２参照）。
【先行技術文献】
【特許文献】
【０００４】
【特許文献１】実用新案登録第３１１３８７０号公報
【特許文献２】特開２００５−６２７８９号公報
【考案の概要】
【考案が解決しようとする課題】
【０００５】
単語帳形式の九九カードの場合、１つのカードに１つの計算式が記載されているため１つ計算を行う度にカードを捲る必要がある。九九カードを使用する者は主に低学年の小学生であるから、単語帳形式の九九カードの場合、捲るのに手間取るという問題がある。
【０００６】
また九九には、掛ける数が１から９に向かって１つずつ増える上り九九、逆に掛ける数が９から１に向かって１つずつ減る下り九九、掛ける数が不規則に並べられたバラバラ九九があるが、これまでこのような九九を効率的に学習（練習）するための九九カードはない。
【０００７】
本考案の目的は、使い易くまた上り九九等を効率的に学習（練習）することができる九九カードを提供することである。
【課題を解決するための手段】
【０００８】
本考案は、１から９までの各段に対応した９枚のカードを有し、少なくとも、前記各カードの表（おもて）面及び裏面にはそれぞれ、掛けられる数が１つ、１から９の掛ける数が９つ、それに対応した９つの計算式及びその読み方が記載され、さらに前記各カードの裏面には前記計算式の答えが記載されていることを特徴とする九九カードである。
【０００９】
本考案の九九カードは、前記各カードの表（おもて）面及び裏面に記載された１から９の掛ける数が、１から９に向かって１つずつ増えるように並んでいる、又は９から１に向かって１つずつ減るように並んでいる、又は不規則に並んでいることを特徴とする。
【００１０】
本考案の九九カードは、前記９枚のカードが綴じ具で綴じられていることを特徴とする。
【００１１】
本考案の九九カードにおいて、前記９枚のカードには、１から９の段を表示するインデックスが設けられ、及び／又は１から９の段毎に異なる色が付されていることを特徴とする。
【考案の効果】
【００１２】
本考案によれば、使い易くまた上り九九等を効率的に学習（練習）することができる九九カードを提供することができる。
【図面の簡単な説明】
【００１３】
【図１】本考案の第１実施形態の九九カード１の外観図である。
【図２】本考案の第１実施形態の九九カード１を構成する２の段のカード１１ｂの正面図及び背面図である。
【図３】本考案の第２実施形態の九九カード２の外観図である。
【図４】本考案の第２実施形態の九九カード２を構成する５の段のカード１１ｅの正面図及び背面図である。
【図５】本考案の第３実施形態の九九カードを構成する８の段のカード１１ｈの正面図及び背面図である。
【考案を実施するための形態】
【００１４】
図１は、本考案の第１実施形態の九九カード１の外観図、図２は、本考案の第１実施形態の九九カード１を構成する２の段のカード１１ｂであり、（Ａ）が正面図、（Ｂ）が背面図である。
【００１５】
本考案の第１実施形態の九九カード１は、上り九九の学習に使用される学習具であり、１の段から９の段まで各段に対応した９枚のカード１１（１１ａ、１１ｂ、１１ｃ、１１ｄ、１１ｅ、１１ｆ、１１ｇ、１１ｈ、１１ｉ）と、９枚のカード１１を綴じる綴じ具３１とで構成される。
【００１６】
９枚のカード１１は、横長の形状を有する同じ大きさのカードであり、インデックス１５の位置を除き同じ形状である。カード１１の大きさは、特に限定されるものではないが収納、携行を考えれば縦（短手方向）が５５ｍｍ、横（長手方向）が１８０ｍｍ程度のものが好ましい。カード１１の素材及び厚さは、容易に破損、変形しないものであればよく、素材としては紙、プラスチック、木、紙の表面をプラスチックフィルムで覆ったラミネート加工品等が挙げられる。また９枚のカード１１の表（おもて）面１２の左側には、綴じ具３１であるカードリングが挿通する穴１７が設けられている（図２（Ａ）参照）。
【００１７】
インデックス１５は、各カードの下端に設けられ、１の段から９の段のカード１１ａ、１１ｂ、１１ｃ、１１ｄ、１１ｅ、１１ｆ、１１ｇ、１１ｈ、１１ｉを順に重ねたとき、重ならないようにまた数字が順番に並ぶように設けられている。インデックス１５は、各カードの上端、表（おもて）面１２の右端に設けてもよい。インデックス１５を設けることでカード１１を識別し易く、また捲り易くなる。
【００１８】
また本実施形態の九九カード１は、カード毎に異なる色で着色されている。カード１１に設けるインデックス１５及びカード１１に施す着色は、各段のカード１１を識別し易くする目的でなされたものであり、いずれか一方であってもよい。また製造コストを優先させ、インデックス１５及び着色を省略してもよい。
【００１９】
９枚のカード１１は、１枚のカードが１つの段に対応し、１の段用カード１１ａから９の段用カード１１ｉで構成され、カードの表（おもて）面１２（１２ａ、１２ｂ、１２ｃ、１２ｄ、１２ｅ、１２ｆ、１２ｇ、１２ｈ、１２ｉ）、裏面１３（１３ａ、１３ｂ、１３ｃ、１３ｄ、１３ｅ、１３ｆ、１３ｇ、１３ｈ、１３ｉ）に計算式及び答えなどが記載されている。各カード１１は、段、つまり掛けられる数が異なるもののカードの表（おもて）面１２及び裏面１３に記載される項目は同じである。以下、２の段のカード１１ｂを用いて、カードの表（おもて）面１２ｂ、裏面１３ｂの記載項目について詳述する。
【００２０】
カード１１ｂの表（おもて）面１２ｂには上下２段、各段に１０個のマス目が記載されている（図２（Ａ）参照）。上段左端には、掛け算を表す×が、下段左端には、段、つまり掛けられる数である２が記載されている。左端を除いた上段には、左から右に向かって掛ける数である１から９が順番に記載されている。また左端を除いた下段には、左から右に向かって掛ける数に対応した計算式２×１、２×２、２×３・・・２×９、その下方にはその計算式の振り仮名が記載されており、振り仮名の下は空白となっている。
【００２１】
カード１１ｂの裏面１３ｂの記載項目は、カード１１ｂの表（おもて）面１２ｂと同じであるが、表（おもて）面１２ｂで空白となっていた場所に計算式の答え２、４、６・・・１８が記載されている（図２（Ｂ）参照）。
【００２２】
綴じ具３１は、開閉自在なカードリングである。９枚のカード１１は、１の段のカード１１ａが一番上に、９の段のカード１１ｉが一番下となるように順番に重ねられ、穴１７にカードリングが挿通され捲られるように綴じられている。
【００２３】
第１実施形態の九九カード１は、各段の九九がそれぞれ１枚のカード１１に上り九九の要領で記載されているので、各段の上り九九を覚え易い。また、ある段、例えば２の段の上り九九を覚える際には、２×９の計算が終了するまでカード１１ｂを捲る必要がない。また各カード１１の裏面１３には、答えのみならず計算式等も記載されているので低学年の小学生でも使い易く、また集中して学習（練習）することができる。
【００２４】
図３は、本考案の第２実施形態の九九カード２の外観図、図４は、本考案の第２実施形態の九九カード２を構成する５の段のカード１１ｅであり、（Ａ）が正面図、（Ｂ）が背面図である。本考案の第２実施形態の九九カード２の基本構成は、図１に示す本考案の第１実施形態の九九カード１と同じである。以下、第１実施形態の九九カード１との相違点を中心に説明する。
【００２５】
第２実施形態の九九カード２は、下り九九の学習に使用される学習具であり、図１の上り九九カード１と同様に１の段１１ａから９の段１１ｉまで各段に対応した９枚のカード１１（１１ａ、１１ｂ、１１ｃ、１１ｄ、１１ｅ、１１ｆ、１１ｇ、１１ｈ、１１ｉ）と、カード１１と同じ大きさ、形状の表紙２１と裏表紙と、９枚のカード１１、表紙２１、裏表紙を綴じる綴じ具３５とで構成されている。本実施形態の九九カード２は、表紙２１と裏表紙とを有するが、これらを備えてなくてもよい。逆に第１実施形態の九九カード１が、表紙２１と裏表紙を備えていてもよい。
【００２６】
９枚のカード１１の大きさ、形状、素材等は、第１実施形態のカード１１と同じように考えればよい。本実施形態では、綴じ具３５に合わせてカード１１の表面１２の上部にリングが挿通する穴１８が設けられている（図４（Ａ）参照）。第２実施形態の九九カード２では、各カード１１にカードを識別するための色が付されていないが、第１実施形態のカード１１と同様に色を付してもよい。インデックス１５及び着色についても第１実施形態のカード１１と同じように考えればよい。
【００２７】
９枚のカード１１それぞれが、１つの段に対応し、１の段用カード１１ａから９の段用カード１１ｉで構成されていること、カードの表（おもて）面１２（１２ａ、１２ｂ、１２ｃ、１２ｄ、１２ｅ、１２ｆ、１２ｇ、１２ｈ、１２ｉ）、裏面１３（１３ａ、１３ｂ、１３ｃ、１３ｄ、１３ｅ、１３ｆ、１３ｇ、１３ｈ、１３ｉ）の記載項目についても第１実施形態のカード１１と同じである。相違点は、第２実施形態の九九カード２は、下り九九用ゆえ、掛ける数が左から右に向かって９から１の順番になっている点である。
【００２８】
第２実施形態の九九カード２は、各段の九九がそれぞれ１枚のカード１１に下り九九の要領で記載されているので、各段の下り九九を覚え易い。また、ある段、例えば５の段の下り九九を覚える際には、５×１の計算が終了するまでカード１１ｅを捲る必要がない。また各カード１１の裏面１３には、答えのみならず計算式等も記載されているので低学年の小学生でも使い易く、また集中して学習（練習）することができる。
【００２９】
図５は、本考案の第３実施形態の九九カードを構成する８の段のカード１１ｈであり、（Ａ）が正面図，（Ｂ）が背面図である。本考案の第３実施形態の九九カード３は、ばらばら九九用であり、第１実施形態の九九カード１と同様に、１の段から９の段まで各段に対応した９枚のカード１１（１１ａ、１１ｂ、１１ｃ、１１ｄ、１１ｅ、１１ｆ、１１ｇ、１１ｈ、１１ｉ）と、９枚のカード１１を綴じる綴じ具３１とで構成される。第１実施形態の九九カード１と比較して異なる点は、各カード１１の掛ける数の並びだけである。
【００３０】
図５に示すように８の段のカード１１ｈは、掛ける数は１から９であるがその並びが不規則になっている。本考案の第３実施形態の九九カードは、ばらばら九九用であるから８段以外の他のカード１１も同じように掛ける数の並びが不規則になっている。
【００３１】
第３実施形態の九九カードは、各段の九九がそれぞれ１枚のカード１１にばらばら九九の要領で記載されているので、各段のばらばら九九を覚え易い。また、ある段、例えば８の段のばらばら九九を覚える際には、９個の計算が終了するまでカード１１ｈを捲る必要がない。また各カード１１の裏面１３には、答えのみならず計算式等も記載されているので低学年の小学生でも使い易く、また集中して学習（練習）することができる。
【００３２】
以上のように本考案に係る九九カードは、低学年の小学生でも使い易く、また上り九九、下り九九、ばらばら九九を効率的また集中して学習（練習）することができる。
【００３３】
本考案に係る九九カードは、上記実施形態に限定されるものではなく、要旨を変更しない範囲で変更することができる。例えば、第１及び第２実施形態の九九カードにおいて、綴じ具３１が入れ替わってもよく、第１から第３実施形態の九九カードの綴じ具が全て同じであってもよい。綴じ具は、カードを容易に捲れるように綴じることができればよく、リング形式の綴じ具に限定されるものではない。
【００３４】
当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００３５】
１、２  九九カード
１１  カード
１１ａ、１１ｂ、１１ｃ、１１ｄ、１１ｅ、１１ｆ、１１ｇ、１１ｈ、１１ｉ  １から９の段の各カード
１２ａ、１２ｂ、１２ｃ、１２ｄ、１２ｅ、１２ｆ、１２ｇ、１２ｈ、１２ｉ  １から９の段の各カードの表（おもて）面
１３ａ、１３ｂ、１３ｃ、１３ｄ、１３ｅ、１３ｆ、１３ｇ、１３ｈ、１３ｉ  １から９の段の各カードの裏面
１５  インデックス
１７、１８  穴
２１  表紙
３１、３５  綴じ具
【図１】
0003227598.tif 000003
【図２】
0003227598.tif 000004
【図３】
0003227598.tif 000005
【図４】
0003227598.tif 000006
【図５】
0003227598.tif 000007
【手続補正書】
【提出日】令和2年4月3日(2020.4.3)
【手続補正１】
【補正対象書類名】実用新案登録請求の範囲
【補正対象項目名】請求項１
【補正方法】変更
【補正の内容】
【請求項１】
１から９までの各段に対応した９枚のカードを有し、
少なくとも、前記各カードの表（おもて）面及び裏面にはそれぞれ、掛けられる数が１つ、１から９の掛ける数が９つ、それに対応した９つの計算式及びその読み方が記載され、
さらに前記各カードの裏面には前記計算式の答えが記載されており、
前記１から９の掛ける数が上段に、前記９つの計算式が下段に、前記その読み方が前記９つの計算式の下方に、前記掛けられる数が下段左端に配置されていることを特徴とする九九カード。
【手続補正２】
【補正対象書類名】明細書
【補正対象項目名】０００８
【補正方法】変更
【補正の内容】
【０００８】
本考案は、１から９までの各段に対応した９枚のカードを有し、少なくとも、前記各カードの表（おもて）面及び裏面にはそれぞれ、掛けられる数が１つ、１から９の掛ける数が９つ、それに対応した９つの計算式及びその読み方が記載され、さらに前記各カードの裏面には前記計算式の答えが記載されており、前記１から９の掛ける数が上段に、前記９つの計算式が下段に、前記その読み方が前記９つの計算式の下方に、前記掛けられる数が下段左端に配置されていることを特徴とする九九カードである。